【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
液相（１５４）中の固形物（１５３）検出用の装置（１００）であって、前記固形物（１５３）および前記液相（１５４）が、少なくとも部分的に透明な容器（１５０）に混合物として封入され、プロセッサユニット（１３０、２３０）とデジタル化された画像（２１１、２１２、２１３、２１４）を画素値を伴う画素の配列の形で作るためのカメラ（１４０）とを備えた装置（１００）において、
前記装置（１００）が、前記容器（１５０）を保持するように設計され、前記容器（１５０）に運動を与えて、それによって前記混合物に運動エネルギーを注入する働きをするアジテータ装置（１１０）をさらに備えることを特徴とし、
前記カメラ（１４０）が、運動中の前記混合物の画像を撮影するために前記容器（１５０）の透明部分（１５１）に向けられること、および、記録段階の間に前記カメラ（１４０）によって撮影された運動中の前記混合物の前記デジタル化された画像（２１１、２１２、２１３、２１４）が、前記プロセッサユニット（１３０、２３０）へ伝送され得ることをさらに特徴とする装置（１００）。
【請求項２】
前記装置（１００）の動作状態では、前記容器（１５０）は、長手が水平方向に向き、前記アジテータ装置（１１０）の保持器の受け口（１１１）に解放可能なように結合されており、前記保持器の受け口（１１１）は、前記保持器の軸（１１２）で駆動機構に結合されており、前記駆動機構により、前記保持器の軸（１１２）に長手方向の振動運動（１７１）を生成することができる、請求項１に記載の装置（１００）。
【請求項３】
運動中の前記混合物の少なくとも２つのデジタル化された画像（２１１、２１２、２１３、２１４）の少なくとも１つのシリーズ（２００）が存在することを特徴とし、少なくとも２つのデジタル化された画像（２１１、２１２、２１３、２１４）を基に運動中の前記混合物の解析表現（２２０）を生成する能力があることをさらに特徴とする、請求項１に記載の装置（１００）。
【請求項４】
前記解析表現（２２０）において、前期混合物の前記運動する固形物粒子（１５３）がコントラスト領域、すなわち異なる画素値を有することによって区別される領域として現れるように、前記解析表現（２２０）が、第２のデジタル化された画像（２１２）の画素値から第１のデジタル化された画像（２１１）の画素値を引くことで、作成され得ることを特徴とする、請求項３に記載の装置（１００）。
【請求項５】
前のデジタル化された画像（２１１、２１２、２１３、２１４）のシリーズの共通部分が計算されることと、前記解析表現（２２０）が、デジタル化された画像（２１１、２１２、２１３、２１４）の画素値から前記共通部分の画素値を引くことで生成されることと、前記混合物の前記運動する固形物（１５３）が、前記解析表現（２２０）において、コントラスト領域、すなわち異なる画素値を有することによって区別される領域として現れることとを特徴とする、請求項３に記載の装置（１００）。
【請求項６】
前記解析表現（２２０）が、少なくとも２つのデジタル化された画像（２１１、２１２、２１３、２１４）の個々の画素の運動の見積もりで生成されることが可能であり、前記運動の前記見積もりが、前記画像（２１１、２１２、２１３、２１４）のうちの１つから他の１つへの運動ベクトルがゼロであるすべての画素を静的画像部分と見なし、動的画像部分を構成する前記混合物の前記運動する固形物部分（１５３）が、前記解析表現（２２０）において、コントラスト領域すなわち異なる画素値を有することによって区別される領域として現れることを特徴とする、請求項３に記載の装置（１００）。
【請求項７】
少なくとも１つの評価域（２９０）が、前記解析表現（２２０）から選定されることを特徴とする、請求項４から６の１項に記載の装置（１００）。
【請求項８】
前記少なくとも１つの評価域（２９０）が、等しいまたは異なる寸法のセグメント（２９１）に細分されることを特徴とする、請求項７に記載の装置（１００）。
【請求項９】
解析表現（２２０）またはセグメント領域（２９１）内で前記画素値の度数分布（３１
１、４１１）が、評価されることと、カメラ関連雑音を除去するために、前記度数分布（３１１、４１１）の画素値の所定の帯域幅（３１２、４１２）が、引き続く評価での考察対象から外されることとを特徴とする、請求項１乃至８の１項に記載の装置（１００）。
【請求項１０】
前記装置（１００）が、少なくとも１つの面光源（１１３）および／または点光源（１１８）を備え、前記電磁波、具体的には前記少なくとも１つの光源（１１３、１１８）の前記光波（１７３）が、前記カメラ（１４０）で捉らえられるべき前記容器（１５０）の前記透明部分（１５１）に向けられることを特徴とする、請求項１乃至９の１項に記載の装置（１００）。
【請求項１１】
液相（１５４）中の固形物（１５３）検出用の方法（５００、６００）であって、前記固形物（１５３）および前記液相（１５４）が、少なくとも部分的に透明な容器（１５０）に混合物として封入され、
―  前記容器（１５０）が運動状態に置かれ、それによって運動エネルギーが前記混合物に注入されるステップと、
―  記録段階では、カメラ（１４０）を使用して、前記容器（１５０）の内側で動き回る前記混合物（２５８）の、少なくとも２つのデジタル化された画像（２１１、２１２）の少なくとも１つのシリーズ（２００）が、画素値を伴う画素の配列の形で撮影されるステップと、
―  画素値を伴う画素の前記配列から、解析表現（２２０）が計算され、前記運動する固形物（１５３）が、コントラスト領域、すなわち異なる画素値を有することによって区別される領域として現れるステップと、
―  前記解析表現（２２０）が、コントラスト領域すなわち異なる画素値を有することによって区別される領域が存在するかどうかについて調査されるステップと
を含むステップ（５１１、５１２、５１３、５１４、５１５、５１６、５１７、５１８、５１９）を特徴とする方法（５００、６００）。
【請求項１２】
少なくとも１つの評価域（２９０）が、前記解析表現（２２０）から選定される、さらなるステップ（５１５）を特徴とする、請求項１１に記載の方法（５００、６００）。
【請求項１３】
前記解析表現（２２０）または前記少なくとも１つの評価域（２９０）が、等しい寸法のセグメント（２９１）に細分され、各セグメント（２９１）が、コントラスト領域すなわち異なる画素値を有することによって区別される領域が存在するかどうかについて調査される、さらなるステップ（５１６）を特徴とする、請求項１１または１２に記載の方法（５００、６００）。
【請求項１４】
解析表現（２２０）またはセグメント（２９１）内で前記画素値の度数分布（３１１、４１１）が、評価されることと、カメラ関連雑音を除去するために、前記度数分布（３１１、４１１）の画素値の所定の帯域幅（３１２、４１２）が、引き続く評価での考察対象から外されることとを特徴とする、請求項１３に記載の方法（５００、６００）。
【請求項１５】
度数分布（３１１、４１１）が所定の帯域幅（３１２、４１２）の外部に属する画素値を含むセグメント領域（２９１）の数が登録され、セグメント領域（２９１）の前記数が、存在する固形物（１５３）の量および／または溶解過程の進度の尺度を表す、さらなるステップ（５１７、５１８）を特徴とする、請求項１４に記載の方法（５００、６００）。
【請求項１６】
度数分布（３１１、４１１）が前記所定の帯域幅（３１２、４１２）の外部に属する画素値を含む前記セグメント（２９１）が、所定の計画に従って重み付けされ、前記セグメント（２９１）の重み付けされた数が互いに加算され、前記数の和が、存在する固形物（
１５３）の量および／または溶解過程の進度の尺度を表す、さらなるステップ（５１７、５１９）を特徴とする、請求項１４に記載の方法（５００、６００）。